(57)【要約】【課題】オープン・モード（ＯＭ）・フェムトセル（ＦＣ）を実装する通信ネットワークにおいてユーザ機器（ＵＥ）から発信されるＳＭＳの細かな位置特定のための方法を提供する。【解決手段】本発明は、特定の追加のサービス・エリア（ＳＡ）にＦＣを集めてモバイル・ネットワーク（ＭＮ）のセルの地理的に同種の組を集める位置エリア（ＬＡ）及びＳＡに編成されたＭＮに関する。ＦＣに結合されたＵＥからのＳＭＳ発信は、ＳＡコード及びＦＣに対応するＬＡコードを含む大まかな位置並びにＦＣに関するインターネット・ボックスの識別のためのＩＰアドレス及びＩＮＳＥＥコード等一意のデータを備える細かな位置をＭＮの位置プラットフォーム（ＰＦ）へ通信して位置特定工程をトリガする。これらのデータはＳＭＳ管理センタからＰＦに送信される。従ってＦＣはＯＭで動作でき、各ＦＣはモバイル・ネットワーク・オペレータに登録された任意のＵＥに結合できる。【選択図】図１
2015091138.tif 000002
【特許請求の範囲】
【請求項１】
モバイル・ネットワーク・オペレータ（ＭＮＯ）のモバイル・ネットワーク（１０）と、
インターネット・サービス・プロバイダ（ＩＳＰ）の固定ネットワーク（１８）と、
を備える電気通信ネットワークにおいてモバイル・ユーザ機器（１４、ＭＳ）から来るショートメッセージＳＭＳを位置特定するための方法であって、
前記モバイル・ネットワーク・オペレータ（ＭＮＯ）の前記モバイル・ネットワーク（１０）が、
交換センタ（ＶＭＳＣ）を有するコア・ネットワークと、
ＳＭＳ記憶センタ（ＳＭＳＣ）と、
位置プラットフォーム（ＧＭＬＣ）と、
を含み、
前記インターネット・サービス・プロバイダ（ＩＳＰ）の前記固定ネットワーク（１８）が、
固定コア・ネットワークと、
複数の個々のボックス（２０、ＢＯＸ）と、
を含み、前記複数の個々のボックス（２０、ＢＯＸ）が、固定ネットワークの終端機器を形成し、該複数の個々のボックス（２０、ＢＯＸ）の各々が、一意のボックス識別データを有し、
前記ボックスのうちのいくつかが、近くのモバイル・ユーザ機器（１４、ＭＳ）との一時的ワイヤレス結合（３２）を可能にする、フェムトセル・タイプ（３０、ＦＴ）の短距離セルラ発信機／受信機モジュールを備え、
前記方法において、
前記モバイル・ネットワークが、位置エリア・コード（ＬＡＣ）によって各々識別される複数の位置エリア（ＬＡ）に編成され、
各位置エリアが、サービス・エリア・コード（ＳＡＣ）によって各々識別されるサービス・エリア（ＳＡ）のセットを集め、各サービス・エリアが、前記モバイル・ネットワークの地理的に同種のセットのセルを集め、
前記フェムトセルがオープン・モードで動作し、前記モバイル・ネットワークの各フェムトセルが、前記モバイル・ネットワーク・オペレータ（ＭＮＯ）に登録され、且つ前記フェムトセルの近傍にある前記任意のユーザ機器（ＭＳ）と結合することが可能であり、このユーザ機器が前記個々のボックス内に以前に登録されていなくてよく、そして、
フェムトセル（ＦＴ）に結合されたユーザ機器（ＭＳ）からのＳＭＳの前記発信が、
ａ）前記ＳＭＳ記憶センタ（ＳＭＳＣ）によって、前記位置プラットフォーム（ＧＭＬＣ）プラットフォームへ、ユーザ機器位置要求を送信するステップと、
ｂ）前記位置プラットフォーム（ＧＭＬＣ）によって、前記交換センタ（ＶＭＳＣ）へ、大まかな位置要求を送信するステップと、
ｃ）前記交換センタ（ＶＭＳＣ）によって、前記位置プラットフォーム（ＧＭＬＣ）へ、前記フェムトセルに対応する前記サービス・エリア・コード（ＳＡＣ）および位置エリア・コード（ＬＣＡ）を含む大まかな位置を送信するステップと、
を含むシーケンスをトリガし、
前記方法が、
前記位置エリア（ＬＡ）のうちの少なくとも１つが、その中にフェムトセル識別子が集められた特定の追加のサービス・エリア（ＳＡ＊）を備え、そして、
前記シーケンスがその後さらに、
ｄ）前記位置プラットフォーム（ＧＭＬＣ）によって、前記位置エリア（ＬＡ）がその中にフェムトセル識別子が集められた前記特定の追加のサービス・エリア（ＳＡ＊）のうちの１つに対応するかどうかを判定するステップと、
ｅ）前記判定の結果が肯定であるとき、前記位置プラットフォーム（ＧＭＬＣ）によって、前記交換センタ（ＶＭＳＣ）を介して前記フェムトセルへ、細かな位置要求メッセージを送信するステップと、
ｆ）前記交換センタ（ＶＭＳＣ）によって、前記フェムトセルに関連する前記ボックスの識別のための一意のデータを備える細かな位置を前記フェムトセルから取得するステップと、
ｇ）前記交換センタによって、前記ＳＭＳ記憶センタ（ＳＭＳＣ）へ、前記細かな位置（ＶＭＳＣ）を送信するステップと、
を含むことを特徴とする、方法。
【請求項２】
前記シーケンスが、
ｈ）前記ＳＭＳ記憶センタ（ＳＭＳＣ）によって、前記一意のボックス識別データで追加されたＳＭＳデータ・チケット（ＣＤＲ）を生成する最終ステップをさらに含む、請求項１に記載の方法。
【請求項３】
前記交換センタ（ＶＭＳＣ）によって、前記ＳＭＳ記憶センタ（ＳＭＳＣ）へ、前記細かな位置を送信する前記ステップｇ）が、
ｇ１）前記交換センタ（ＶＭＳＣ）によって、前記位置プラットフォーム（ＧＭＬＣ）へ、前記加入者位置要求への回答を送信するサブステップであって、この回答が前記細かな位置を含む、サブステップと、
ｇ２）前記位置プラットフォーム（ＧＭＬＣ）によって、前記ＳＭＳ記憶センタ（ＳＭＳＣ）へ、前記加入者位置要求への回答を送信するサブステップであって、この回答が前記細かな位置を含む、サブステップと
を含む、間接的送信のステップである、請求項２に記載の方法。
【請求項４】
前記加入者位置要求への前記回答が、好ましくは、３ＧＰＰ仕様によるＰＳＬ＿Ａｃｋメッセージである、請求項３に記載の方法。
【請求項５】
前記一意のボックス識別データが、前記ボックスに関連する前記ＩＰアドレス（ＩＰ＠）、および、前記ボックスの位置の場所の地理的コード（ＩＮＳＥＥコード）を備える、請求項１に記載の方法。
【請求項６】
前記細かな位置要求メッセージが、具体的には、前記３ＧＰＰ仕様による位置報告制御メッセージでもよく、そして、前記回答メッセージが、前記３ＧＰＰ仕様による位置報告メッセージである、請求項１に記載の方法。
【請求項７】
前記一意のボックス識別データが、前記地理的経度／緯度座標の代わりにこれらのデータを置き換えることによって、前記位置報告メッセージ内でカプセル化される、請求項６に記載の方法。
【発明の詳細な説明】
【技術分野】
【０００１】
本発明は、フェムトセルを実装するモバイル通信ネットワークに関する。
【背景技術】
【０００２】
フェムトセルは、それを用いて携帯電話（ＭＳ、移動局）が結合されて、音声通信を発信及び受信することや、ショートメッセージ（ＳＭＳ）を発信及び受信することや、デジタル・データを交換することなどができる、非常に低い電力および狭められた範囲（最大で数メートルまたは数十メートル）の携帯電話リレーである。
【０００３】
携帯電話から見ると、フェムトセルは、マクロセル・リレー（基地局ＢＳまたはｅＮｏｄｅＢ）と機能的に同等であり、ローミング、セル間ハンドオーバなどの同機能を有する。具体的には、携帯電話がフェムトセルのカバレージ・エリア内にあるとき、ハンドオーバが、（外部無線ネットワークの）マクロセルラ・アンテナからフェムトセルのそれに自動的に行われる。同様に、ユーザがフェムトセルのカバレージ・エリアを出るとき、そのユーザの電話はマクロセル・ネットワークをシームレスに見つける。
【０００４】
フェムトセルの特異性は、フェムトセルが、フェムトセルに結合された携帯電話と交換される信号を受信および発信するために使用されるｘＤＳＬタイプのワイヤに基づくＩＰリンクまたはＦＴＴＨタイプの光ファイバ・リンクにインターフェースするためのモデムを含むボックス・タイプ（以下、「ボックス」または「インターネット・ボックス」と称される）のインターネット・サービス・プロバイダの固定端末機に接続されるということである。
【先行技術文献】
【特許文献】
【０００５】
【特許文献１】欧州特許第２２５２１１４Ａ１号
【特許文献２】米国特許出願第２０１１／００５３６０９Ａ１号
【発明の概要】
【０００６】
したがって、本技法は、２つのオペレータ、すなわちモバイル・ネットワーク・オペレータ（ＭＮＯ）およびインターネット・サービス・プロバイダ（ＩＳＰ）、を使用する。
【０００７】
フェムトセルを介する通信の利点は多数ある。第１に、本技法は、外部マクロセルラ・ネットワークの無線カバレージが貧弱であるまたは非常に流動的であるエリア、具体的には、周囲の上部構造物の遮蔽効果による家の6内側、に供することを可能にし、第２に、通信が、非常に高密度のカバレージ・エリア内で完全にロードされることが時々あるＭＮＯネットワーク無線インターフェースを介して経路指定される代わりに、ＩＳＰのワイヤベースのまたは光のネットワークの高速ＩＰ接続を介してＭＮＯコア・ネットワークに向けて経路指定されるので、その無線ネットワークのロードは、強力に低減される。
【０００８】
さらに、フェムトセルの実装は、ＩＳＰおよびＭＮＯの両方で、これらの後者が、既存のインフラストラクチャのみを使用する限りにおいて、極めて単純であり、ＩＳＰボックスへの「フェムトモジュール」の単純な接続または差込みによってインストールされ得る（以下の説明では、単純化を目的として、「フェムトセル」という用語は、このモジュールを示すためにも単純に使用されることになる）。
【０００９】
フェムトセルは通常は、「クローズド」タイプであり、すなわち、インターネット・ボックス所有者は、所有者のボックスにリンクされたフェムトセルに接続することを許可された携帯電話番号をＭＮＯに宣言する必要があり、その許可された番号は、たとえば、ＩＭＳＩ加入者識別子として、それらのＳＩＭ／ＵＳＩＭカードに含まれるキーによって識別される。ＭＮＯがこれらの番号のうちの１つから、又は、１つに、コールまたはメッセージを受信／発信するとき、ユーザがそのネットワークのマクロセル内に位置しない場合には、ＭＮＯは、どのフェムトセルにこのユーザが結合されるべきかを先験的に知ることになる。したがって、フェムトセルは、（ＩＳＰによって）知られている場所で固定してインストールされたボックス、すなわち使用されるｘＤＳＬまたはＦＴＴＨ回線の終端、に接続されるので、後者は、そのネットワーク内で容易に見つけることができ、そしてまた、地理的に位置特定され得る。
【００１０】
一方で、本発明は、「オープン」タイプのフェムトセル・ネットワークの実装、すなわち、フェムトセル・ネットワークの中で、ＭＮＯの任意の加入者が、ボックス所有者による事前の登録なしに、且つ透明な形で、近くに位置するフェムトセルと接続すべきである、フェムトセル・ネットワークの実装を目的とする。
【００１１】
フェムトセルがそれをインストールした加入者のニーズのみに供するクローズド・ネットワークとは反対に、オープン・ネットワークでは、コールまたはＳＭＳが、このフェムトセルのすぐ近くに位置特定された携帯電話からまたはそのような携帯電話に発信されるかどうかにかかわらず、それらのコールまたはＳＭＳを正確に位置特定することは可能ではない。
【００１２】
実際に、特定の測定結果のない場合の唯一の可能な位置特定は、３ＧＰＰ仕様によって定義された「サービス・エリア」（ＳＡ）によって与えられるものになる。これらのサービス・エリアは、それらの地理的状況の、及びこのエリア、たとえば、警察部隊、消防隊などの介入の区域、に割り当てられた特定の「サービス」の機能として比較的多数のセルを集めることができる。３ＧＰＰ仕様は、「位置エリア」（ＬＡ）ごとに限られた数のそのようなサービス・エリアのみを許し、位置エリアは、それ自体、県、大都市または大都市の一部のみなどの非常に拡張されたエリアを網羅することができる。
【００１３】
オープン・タイプ・ネットワーク内のフェムトセルに接続された端末を位置特定するためのそのような技法は、欧州特許第２２５２１１４Ａ１号および米国特許出願第２０１１／００５３６０９Ａ１号で具体的に紹介されている。
【００１４】
そのネットワークのマクロセルの場合にＭＮＯに使用可能な地理位置情報（アンテナの地理的場所）とは異なり、位置エリア／サービス・エリアによる大まかな位置は、そこからコールまたはメッセージが発信されたまたはそれが経路指定されるべき先の正確なアドレスを知ることが可能ではないことになる限りにおいて、不十分であることになる。
【００１５】
しかし、この情報は、公共団体からの公式の請求の枠組み内でＭＮＯによって提供されることが命令的に可能である必要がある。そのような請求は、実際に、具体的に識別された通話に関するすべての情報を記録する「課金チケット」またはＣＤＲ（コール詳細記録）に含まれるデータの通信を課する。このチケットは、発呼者のおよび被呼者の識別、コールの日付および時間、それの持続期間、コールのタイプ（音声、ＳＭＳなど）、ならびに、モバイル・ネットワークを介するコールの場合には、発呼者および／または被呼者の細かな位置を含む。
【００１６】
マクロセル・ネットワークの場合には、この位置は、そのコールが通過したモバイル・ネットワークのリレー（ＢＳまたはｅＮｏｄｅＢ）のアンテナの緯度および経度による地理位置情報であることになる。
【００１７】
クローズド・ネットワークとして動作するフェムトセル・ネットワークの場合には、この位置特定は、インターネット・ネットワーク所有者がその所有者のボックスに接続されたフェムトセルを使用することを許可されたユーザに関するＭＮＯに行った前の宣言から可能であることになる。
【００１８】
他方で、オープン・ネットワーク・フェムトセルを介する通信の場合には、ＭＮＯはその通信に正確に関与したフェムトセルを識別することができず、それの地理的場所を知らないので、この直接の識別は可能ではなく、この情報は、そのフェムトセルを接続されたインターネット・ボックスに提供したＩＳＰの問題である。
【００１９】
前述の内容は、オープン・モードで動作するフェムトセルに結合された（すなわち、ＭＮＯの任意の加入者の電話から来るＳＭＳを受信する責任を負う）携帯電話から送信されるショートメッセージ（ＳＭＳ）の発信された場所を突き止めるための新しい方法を提案する本発明の問題であり、本方法は、以下をＭＮＯに提供することが可能である必要がある：
−  大まかな位置（サービスの識別コードと、ＳＭＳ発信機が位置する位置エリア、ＳＡＣおよびＬＡＣ）、
だけではなく、
−  ＳＭＳを送信するために使用されるインターネット・ボックスを正確に識別することを可能にする細かな位置。
このボックスは、たとえば、それのＩＰアドレスによって、および／または、そのボックスが位置する場所、すなわち、ワイヤベースのまたは光のｘＤＳＬ／ＦＴＴＨ回線の終端の位置の場所、のＩＮＳＥＥコード（フランスのコミューンの公式の名称集の数値コード）などの正確な地理的情報によって、識別される。
【００２０】
本発明の方法は、フェムトセルを使用するモバイル・ネットワークの加入者が誰であっても、そして、このフェムトセル接続されたインターネット・ボックスの所有者が任意の事前の宣言を行う必要なしに、任意の状況でこの細かな位置を取得することを可能にすることが、理解されよう。
【００２１】
したがって、本発明の位置特定方法は、フェムトセルの近くを単に「通過する」モバイル加入者にも、この加入者とインターネット・ボックス所有者の両方に完全に透明性のある形で、任意のモバイル加入者に適用され得る。言い換えれば、そのモバイル加入者は、彼が、マクロセルラ・ネットワークのアンテナではなく、すぐ近くのフェムトセルをリレーとして使用する事実にさえ気が付かず、このフェムトセルの使用がそのフェムトセルの細かな位置特定のプロセスをトリガしたという事実にも気が付かないことになる。
【００２２】
より正確には、本発明は、ＭＮＯモバイル・ネットワークおよびＩＳＰ固定ネットワークを備える電気通信ネットワークにおいてモバイル・ユーザ機器に由来するショートメッセージＳＭＳを位置特定するための方法を提案する。そのモバイル・ネットワークは、交換センタ、ＳＭＳ記憶センタ、および位置プラットフォームを有するコア・ネットワークを備える。その固定ネットワークは、固定コア・ネットワークと、それらの各々について一意のボックス識別データを有する、固定ネットワークの終端機器を形成する複数の個々のボックスと、を備える。それらのボックスのうちのいくつかは、すぐ近くのモバイル・ユーザ機器と結合する一時的ワイヤレスを可能にするフェムトセル・タイプの短距離セルラ発信機／受信機モジュールが備わっている。
【００２３】
そのモバイル・ネットワークは、位置エリア・コードによって各々識別される複数の位置エリアに編成され、そして、各位置エリアは、サービス・エリア・コードによって各々識別されるサービス・エリアのセットを集め、各サービス・エリアは、モバイル・ネットワークのセルの地理的に同種のセットを集める。
【００２４】
そのフェムトセルは、オープン・モードで動作し、モバイル・ネットワークの各フェムトセルは、モバイル・ネットワーク・オペレータに登録され、そのフェムトセルのすぐ近くにある任意のユーザ機器に結合することが可能であり、それは、このユーザ機器が個々のボックス内に事前に登録されていなくてよい。
【００２５】
フェムトセルに結合されたユーザ機器からのＳＭＳの発信は、以下のステップ、即ち、
ａ）ユーザ機器位置要求を位置プラットフォームにＳＭＳ記憶センタによって送信するステップと、
ｂ）大まかな位置要求を交換センタに位置プラットフォームによって送信するステップと、
ｃ）サービス・エリアおよびそのフェムトセルに対応する位置エリア・コードを備える大まかな位置を位置プラットフォームに交換センタによって送信するステップと、
を含むシーケンスをトリガする。
【００２６】
本発明の特徴として：
−  位置エリアのうちの少なくとも１つは、その中に集められたフェムトセル識別子がある特定の追加のサービス・エリアを備え、そして、
−  上記ステップのシーケンスは、以下のそれに続くステップ、即ち、
ｄ）その位置エリアが、その中には集められたフェムトセル識別子がある前記特定の追加のサービス・エリアのうちの１つに対応するかどうかの位置プラットフォームによる判定のステップと、
ｅ）肯定の際に、交換センタを介してそのフェムトセルに細かな位置要求メッセージを位置プラットフォームによって送信するステップと、
ｆ）そのフェムトセルに関連するボックスの識別の一意のデータを備える細かな位置をそのフェムトセルから交換センタによって取得するステップと、
ｇ）ＳＭＳ記憶センタへの交換センタによるその細かな位置の送信のステップと、
をさらに備える。
【００２７】
本方法は、以下の最終ステップ、即ち、
ｈ）ＳＭＳ記憶センタによって、その一意のボックス識別データで加えられたＳＭＳデータ・チケットを生成するステップ、
をさらに含み得る。
【００２８】
優先的一実施形態で、ＳＭＳ記憶センタへの交換センタによる細かな位置の送信のステップｇ）は、以下のサブステップ、即ち、
ｇ１）前記加入者位置要求への回答の位置プラットフォームへの交換センタによる送信のサブステップであって、この回答が前記細かな位置を組み込む、サブステップと、
ｇ２）前記加入者位置要求への回答のＳＭＳ記憶センタへの位置プラットフォームによる送信のサブステップであって、この回答が前記細かな位置を組み込む、サブステップと、
を含む間接的送信のステップである。
【００２９】
加入者位置要求への回答は、好ましくは、３ＧＰＰ仕様によるＰＳＬ＿Ａｃｋメッセージである。
【００３０】
その一意のボックス識別データは、具体的には、ボックスに関連するＩＰアドレスと、ボックスの位置の場所の地理的コードと、を備え得る。
【００３１】
その細かな位置要求メッセージは、具体的には、３ＧＰＰ仕様による位置報告制御メッセージ、および、回答メッセージ、３ＧＰＰ仕様による位置報告メッセージ、でもよい。
【００３２】
非常に有利には、その一意のボックス識別データは、地理的経度／緯度座標へのこれらのデータの置換によって位置報告メッセージ内にカプセル化される。
【００３３】
本発明の例示的一実施形態が、同参照が図面を通して同一のまたは機能的に同様の要素を示す添付の図面を参照して、ここで説明されることになる。
【図面の簡単な説明】
【００３４】
【図１】フェムトセルを介して発信または受信されるコールの実装に関与する様々なネットワークを概略的に示す。
【図２】限られた数の位置エリアにサービス・エリア自体が集められた、当該サービス・エリアへのモバイル電気通信ネットワークのセルの地理的収集を概略的に示す。
【図３】本発明による位置特定方法の実装に関与するネットワークの様々な実体の概略図であり、これらの実体の間で交換される様々なメッセージおよびデータを示す。
【発明を実施するための形態】
【００３５】
本発明の例示的一実施形態が、ここで説明されることになる。
【００３６】
本発明は、当業者に知られていると考えられる、３ＧＰＰ仕様によって定義されるような、ＵＭＴＳタイプのセルラネットワークの枠組み内で説明されることになる。
【００３７】
序文として、本発明でおよび図中で、我々は略語（ＳＡＣ、ＬＡＣ、ＶＭＳＣ、ＣＤＲなど）と、これらの３ＧＰＰ仕様によって定義および説明される概念および要素を参照する指示（位置報告、セキュリティ・ゲートウェイなど）とを使用することになること、ならびに、このため、これらの略語および指示は、そのようなものとして保たれ、必要以上に詳細に説明されないものとする。
【００３８】
図１は、フェムトセルを介して発信または受信されるコールの実装に関与する様々なネットワークを概略的に示す。
【００３９】
このセットは、基地局ｅＮｏｄｅＢのマクロセルを各々定義する複数のアンテナ１２を有する、モバイル・ネットワーク・オペレータＭＮＯによって管理されるモバイル電気通信セルラ・コア・ネットワーク１０を備え、アンテナには、携帯電話１４（ＭＳ、移動局）のユーザがワイヤレス無線リンク１６によって結合され得る。
【００４０】
そのセットはまた、ＩＳＰコア・ネットワーク１８を有するインターネット・サービス・プロバイダＩＳＰの固定電気通信ネットワークと、ｘＤＳＬタイプのワイヤベースのリンクまたはＦＴＴＨタイプの光リンクである固定ＩＰリンク２２によってコア・ネットワークに接続された１セットの固定インターネット・ボックス（２０）（示されたボックス）とを備える。
【００４１】
インターネット・ボックスの一例は、フリーボックス・クリスタル（Ｆｒｅｅｂｏｘ  Ｃｒｙｓｔａｌ）またはフリーボックス・レボリューション・サーバ（Ｆｒｅｅｂｏｘ  Ｒｅｖｏｌｕｔｉｏｎ  Ｓｅｒｖｅｒ）という名の、フランスのパリのオペレータ・フリー（Ｆｒｅｅ）によって流通される機器である。それは、ＡＤＳＬ／ＦＴＴＨモデムを含み、電話技術、ＩＰネットワーク（イーサネット・ワイヤベースのネットワークまたはＷｉ−Ｆｉワイヤレス・ネットワークによる）およびテレビジョンの機能を実装する多機能インターフェース・ボックスである。
【００４２】
インターネット・ボックス２０は、通常は、１つのまたはいくつかのコンピュータ２４、テレビジョン・セット２６、電話セット２８などに接続され得る。さらに、このボックスは、すぐ近くに位置する携帯電話１４とのワイヤレス無線結合３２を可能にする、低電力および狭められた範囲のフェムトセル・タイプ・モジュール３０（ＦＴと称される）を受信する役割を負う。
【００４３】
序文で説明されたように、フェムトセル３０は、携帯電話側において、外部マクロセルラ・ネットワークの基地局１２と機能的に同等なマイクロ基地局である。差異は、オペレータ側において、このフェムトセル３０は、高速インターネット固定ネットワークからＭＮＯサービスにアクセスすることを可能にするために、ＩＳＰのワイヤベースへの、または光の固定ＩＰネットワークへのゲートウェイの役割を果たすという事実にある。
【００４４】
フェムトセルは、たとえば、ＩＰネットワークを介して音声コールを交換ネットワークに向けて経路指定することを可能にする、本格的なセル（ｅＮｏｄｅＢと同等の）として、ＭＮＯからは見なされる。
【００４５】
図２は、限られた数の位置エリアにサービス・エリア自体が集められた、当該サービス・エリアへのモバイル電気通信ネットワークのセルの地理的収集を象徴的に示す。
【００４６】
より正確には、ＭＮＯネットワークのセルは、３ＧＰＰ専門用語によるいくつかの「位置エリア」（ＬＡ）の間で分散される。各ＬＡは、一般に、個々のサーバによって実装され、地理的に同種の領域、たとえばフランスの県または大都市もしくは大都市の区域、にあるすべてのＭＮＯセルを集める。各ＬＡは、そのネットワーク内で一意であるＬＡＣ（位置エリア・コード）によって識別される。
【００４７】
各ＬＡ内部で、セルは、３ＧＰＰ専門用語による「サービス・エリア」（ＳＡ）にセル自体が集められ、各ＳＡは、それに特有であり同ＬＡ内で一意であるＳＡＣ（サービス・エリア・コード）によって識別される。
【００４８】
ＳＡは、通常は、３ＧＰＰ仕様に従って、ｉ）所与のサービス  −  たとえば警察部隊または消防隊などの救急サービス  −  ｉｉ）地理的に同種のエリアにある  −  たとえば、所与の警察部隊または所与の消防隊の介入のエリア  −  に割り当てられたセルを集めるように適合される。
【００４９】
オープン・フェムトセルでのネットワークの実装について、本発明の特徴として、３ＧＰＰ仕様によって提供されるサービス・エリア（ＳＡ）の概念は、そのフェムトセル専用の追加のＳＡを所与のＬＡ（したがって、そのネットワークのマクロセルに対応するＳＡ）内の既存のＳＡに追加することによって、使用される。これらの専用のＳＡ（図２に示されたＳＡ＊）、は、フェムトセル（ＦＴ）識別子のみを含み、このフェムトセルに関連するインターネット・ボックスの物理的位置であるそれらの地理的位置に基づいて同種の方式でフェムトセルを集める。
【００５０】
任意のサービス・エリアＳＡ＊へのフェムトセルの割当ては、インターネット・ボックス内のフェムトセルの導入中に一度だけ動作される：この予備ステップ中に、フェムトセル識別が、インターネット・ボックスの地理的位置と共に、インターネット・ボックスの識別と同時にＭＮＯに送信され、そのＭＮＯは、次いで、それに地理的に最も近いサービス・エリアＳＡ＊にそのフェムトセルを割り当てる。
【００５１】
したがって、そのネットワーク・トポロジにおいてそれに対応するＳＡＣ＋ＬＡＣコードによって所与のフェムトセルの第１の大まかな位置特定を行うことが可能であることになる。
【００５２】
しかし、この第１の位置は、不十分である。具体的には、その第１の位置は、そこからコールもしくはＳＭＳが発信されたまたはそこに向けてコールもしくはＳＭＳが経路指定された正確な場所の通信を要求する公式の請求の場合に、国内当局の要求に対応できない。
【００５３】
実際に、２バイトを越えてコード化されたＳＡＣでは、ＬＡごとに６５５３５ＳＡ以上を含むことは不可能である。したがって、ネットワーク（細かな位置の問題を解決した）内に存在するフェムトセルがあるのと同じ量のＳＡを提供することは考えられず、いくつかのフェムトセルは、減らされた数のＳＡ内に命令的に集められる必要があり、したがって、各々が多数のフェムトセルを含む。
【００５４】
しかし、本発明の方法は、図３を参照して以下に説明されるように、モバイル・ネットワークが、フェムトセルを介するＳＭＳの発信時に、必要とされる細かな位置を判定することを可能にする。
【００５５】
図３には、以下を有する、本プロセスによって含まれる様々な実体が示される：
−  携帯電話ＭＳ；及び
−  後者に接続されたインターネット・ボックスＢＯＸおよびフェムトセルＦＴによって形成されたユニット、
−  ＭＮＯ側には：
・  アクセスおよびセキュリティ機能のための、フェムトセルとモバイル・ネットワークのインターフェースを確保する、セキュリティ・ゲートウェイ／フェムト・ゲートウェイＳＧＷ／ＦＧＷ、具体的には、インターネット・ボックスがリセットされるときに、ＳＧＷゲートウェイが、このインターネット・ボックスでフェムトセルがインストールされたことを認識し、このフェムトセルの特徴を記憶する；
・  ネットワークにおける通信経路指定、および、その他のモバイルもしくは固定ネットワークとの相互接続を管理する実体である、訪問されるモバイル交換センタ（Ｖｉｓｉｔｅｄ  Ｍｏｂｉｌｅ  Ｓｗｉｔｃｈｉｎｇ  Ｃｅｎｔｒｅ）ＶＭＳＣ；
・  ネットワークの加入者によって発信されるＳＭＳの集中化、それらの一時的記憶、および、同ネットワークのもしくは他のＭＮＯによって管理されるネットワークの受信者へのそれらの分配を確保する、ショートメッセージ・サービス・センタＳＭＳＣ；
・  その機能が、コア・ネットワークによって、具体的にはＳＭＳＣから、そこに提出される位置要求を受信および処理することである、ゲートウェイ・モバイル位置センタＧＭＬＣプラットフォームであって、そのような位置要求が、場合によっては、そのネットワークの他の実体を用いて処理され得る、ＧＭＬＣプラットフォーム。
【００５６】
加入者「Ａ」（ＭＳ−Ａ）１４の携帯電話（ＭＳ）がＳＭＳを発信するとき、このＳＭＳは、ＳＭＳ＿ＳｕｂｍｉｔメッセージによってＶＭＳＣに送信され（ステップ＃１）、このメッセージは、具体的には、それのＭＳＩＳＤＮ−Ｂ番号によって識別される、このＳＭＳの受信者「Ｂ」の番号を含む。
【００５７】
この段階で、ＶＭＳＣは、ＳＭＳの場合に（そして、音声コールとは異なり）、その規範的仕様がＳＡＣおよびＬＡＣ識別子（これらの後者はゲートウェイＳＧＷ／ＦＧＷによって知られるが）をＶＭＳＣに送信することを考慮しない限りにおいて、フェムトセルの位置の非常に大まかな情報のみを自由に有する。
【００５８】
ＶＭＳＣは、同じ内容であるが異なるプロトコルを有するＳＭＳ提出メッセージをＳＭＳＣに送り返す（ステップ＃２）（ＭＯ＿ＦｏｒｗａｒｄＳＭメッセージ）。このメッセージは、具体的には、同オペレータがいくつかのＶＭＳＣを有し得るので、コア・ネットワークのどの実体から（具体的には、どのＶＭＳＣから）ＳＭＳが来るかを確認するために、ＳＭＳＣによって分析される（ステップ＃３）。ＭＯ＿ＦｏｒｗａｒｄＳＭメッセージの良好な受信を確認する肯定応答、ＭＯ＿ＦｏｒｗａｒｄＳＭ＿Ａｃｋ、が、ＶＭＳＣに送り返される（ステップ＃４）。
【００５９】
ちょうど受信されたＳＭＳに関する位置情報を有さないＳＭＳＣは、具体的には以下を含むＴＣＰ＿Ｒｅｑｕｅｓｔ＿Ｌｏｃａｔｉｏｎメッセージの形で提示される位置要求をＧＭＬＣプラットフォームに送信する（ステップ＃５）：
−  その受信者のＭＳＩＳＤＮ−Ｂ識別子と、
−  そのＳＭＳ発信機のＩＭＳＩ−Ａ識別子と、
−  そのＳＭＳを送信したＶＭＳＣの識別。
【００６０】
ＭＮＯがいくつかのＶＭＳＣを管理するときにも、これらの後者は地理的エリアに実際には対応しないので、この段階で、本システムは、そのＳＭＳ発信機に関して、非常に大まかでも実際の位置情報を与えない、関係するＶＭＳＣの識別のみを知っている。以下に記載のように、ＬＡＣおよびＳＡＣデータはＳＭＳ管理メッセージで送信されないので、本システムは、位置エリアおよびサービス・エリアＬＡ／ＳＡデータのどちらも知らない。
【００６１】
これらの大まかなおよび細かなフェムトセル位置データを取得するために、ＧＭＬＣが、位置要求プロセスをトリガすることになる。
【００６２】
そのために、ＧＭＬＣプラットフォームは、パラメータとしてＳＭＳ発信機のＩＭＳＩ−Ａ識別子を有する、ＰＳＩ（提供加入者情報）タイプのメッセージによって、関係するＶＭＳＣ（その識別がＴＣＰ＿Ｒｅｑｕｅｓｔ＿Ｌｏｃａｔｉｏｎメッセージ内に与えられる）に大まかな位置要求を送信する（ステップ＃６）。
【００６３】
回答として、ＶＭＳＣは、ＰＳＩ要求の受信を確認するためのＰＳＩ＿ＡｃｋメッセージをＧＭＬＣプラットフォームに送り返し（ステップ＃７）、このＰＳＩ＿Ａｃｋメッセージは、そのネットワークのＰＬＭＮ識別子と、そのＳＭＳが発信されたフェムトセルのＬＡおよびＳＡエリアを識別するＬＡＣおよびＳＡＣコードとを含むＬＡＩ（位置エリア識別）を含む。実際に、これらのＬＡＣおよびＳＡＣデータは、携帯電話ＭＳ−Ａを使用する加入者が、当該加入者の装置の電源を当該加入者が入れ、ＳＭＳを発信したときに、そのネットワークで当該加入者の位置を必ず記録した限りにおいて、ＶＭＳＣによって知られている。したがって、当該加入者の後の場所は、ＳＧＷ／ＦＧＷゲートウェイおよびＶＭＳＣによって知られる。
【００６４】
大まかな位置データを含むＰＳＩ＿Ａｃｋメッセージを受信したとき、ＧＭＬＣプラットフォームは、次いで、そのＬＡＣがフェムトセルを集める特定のＬＡＣであるかどうかをテストする（ステップ＃８）。
【００６５】
肯定であるとき、ＧＭＬＣプラットフォームは、ＰＳＬ（提供加入者位置）要求として、細かな位置要求をＶＭＳＣに送信する（ステップ＃９）。
【００６６】
このＰＳＬ要求の受信時に、ＶＭＳＣは、位置報告制御要求（３ＧＰＰ仕様による）、すなわち、使用されるセルの細かな位置の要求、をそのフェムトセルに送信する（ステップ＃１０）。
【００６７】
この要求を受信したとき、そのフェムトセルは、以下を集める（ステップ＃１１）：
−  （便宜上、インターネット・ボックスへの挿入の後に後者のリセットでフェムトセル内で一度記憶された）インターネット・ボックスのＩＰアドレス。このＩＰアドレスは、具体的には、必要に応じて、インターネット・ボックスの物理アドレスおよびＩＳＰ所有者の加入者の識別を見つけることを可能にする、そして、
−  インターネット・ボックス（および、従って、フェムトセル）がある場所のＩＮＳＥＥコード。ＩＳＰは、インターネット・ボックスが接続されたワイヤベースのまたは光の固定回線の終端がどこにあるかを知っているので、情報のこの要素は、ＩＳＰによって知られていて、情報のこの要素は、インターネット・ボックスの初期化またはリセット時にインターネット・ボックスに送信されてある。
【００６８】
情報のこれらの２つの要素、ＩＰアドレスおよびＩＮＳＥＥコード、は、マクロセルのｅＮｏｄｅＢ局から来る従来の位置報告メッセージで通常は送信される情報であったであろう、基地局のアンテナの場所の地理的緯度および経度座標の代わりに、位置報告メッセージ（３ＧＰＰ仕様による）内でカプセル化によってＶＭＳＣに送信される（ステップ＃１２）。
【００６９】
ネットワークのアンテナの従来の地理位置情報の代わりにフェムトセルに特有の情報をカプセル化する技法は、修正なしに、したがって、プロトコル管理、準拠制御、パケット検証などのレイヤでの変更なしに、本プロセスに関わるネットワーク、ＩＳＰネットワークおよびＭＮＯネットワークの両方、の中で、その仕様によって提供される従来のメッセージおよびプロトコルを使用することを可能にする。
【００７０】
もちろん、インターネット・ボックスまたはフェムトセル内で知られるまたは取得される、他の位置情報は、本例に記載されたもの（ＩＰアドレスおよびＩＮＳＥＥコード）の変形形態としてまたは補足として使用され得る。
【００７１】
ＳＭＳの起点でフェムトセルに関連するデータを含む位置報告メッセージを受信したとき、ＶＭＳＮは、これらのデータをＳＭＳＣに送信することになる。
【００７２】
そのような送信は、特定のメッセージの送信によって直接に操作することができ、ＶＭＳＣおよびＳＭＳＣは、細かな位置情報の送信のこの特定のメッセージを管理することができるように適合されている。
【００７３】
図３に示すように、別の技法は、３ＧＰＰ仕様に準拠したメッセージおよび要求のみを使用し、したがって、ＶＭＳＣおよびＳＭＳＣの適応なしに、ＧＭＬＣプラットフォームを介して間接的にこの送信を操作することにある。
【００７４】
そのために、ＶＭＳＣは、ＧＭＬＣプラットフォームに送信される（ステップ＃１４）ＰＳＬ＿Ａｃｋ（提供加入者位置肯定応答）メッセージ内に細かな位置情報（ＩＰアドレス＋ＩＮＳＥＥコード）を組み込む「ＬＣＳチケット」（位置サービス）タイプのメッセージを生成する（ステップ＃１３）。このメッセージは、ステップ＃９でＧＭＣＬによって前に発信された細かな位置要求のＰＳＬメッセージへの回答である。
【００７５】
このメッセージは、次いで、ＴＣＰ＿Ｒｅｑｕｅｓｔ＿Ｌｏｃａｔｉｏｎ＿ＡｃｋメッセージとしてＳＭＳＣに送信される（ステップ＃１５）。このメッセージは、ステップ＃５でＧＭＬＣプラットフォームに向けてＳＭＳＣによって以前に発信された最初の位置要求のＴＣＰ＿Ｒｅｑｕｅｓｔ＿Ｌｏｃａｔｉｏｎメッセージへの回答である。
【００７６】
この情報に基づいて、ＳＭＳＣは、具体的には以下を含む、強化された「課金チケット」またはＣＤＲ（コール詳細記録）を管理することができることになる（ステップ＃１６）：
−  受信者番号、
−  起点番号、
−  ＳＭＳ発信タイムスタンプ、
−  ＳＭＳを発信したフェムトセルの大まかな（ＳＡＣ＋ＬＡＣ）および細かな（ＩＰアドレス＋ＩＮＳＥＥコード）位置。
【図１】
2015091138.tif 000003
【図２】
2015091138.tif 000004
【図３】
2015091138.tif 000005